(57)【要約】【課題】  押鍵時にハンマー部材の横振れを防ぐと共に鍵に対するハンマー部材の上下方向への離れを防ぎ、演奏性を高めることができる鍵盤装置を提供する。【解決手段】  鍵盤シャーシ１上に上下方向に回動可能に設けられた鍵２にアクション荷重を付与するハンマー部材３の先端部に、ハンマー当接部３０を設け、鍵２にハンマー当接部３０が挿入して摺動する保持孔部３１を有するハンマー連結部２０を設け、この保持孔部３１内の上下面にガイド突起部３４、３５を設け、ハンマー当接部３０の上下面にガイド突起部３４、３５を鍵２の前後方向に沿って相対的にガイドするガイド溝部３６、３７を設けた。従って、押鍵時に鍵２に対するハンマー当接部３０の上下方向への離れ、およびハンマー部材３の横振れを防ぎ、押鍵操作に応じたハンマー部材３によるアクション荷重を鍵２に正確に伝えて演奏性を十分に高めることができる。【選択図】        図１
2008158039.tif 000002
【特許請求の範囲】
【請求項１】
鍵盤シャーシと、この鍵盤シャーシ上に上下方向に回動可能に設けられた鍵と、この鍵の下側に対応して設けられ、前記鍵の押鍵動作に伴って回動変位して該鍵にアクション荷重を付与するハンマー部材とを備えた鍵盤装置において、
前記ハンマー部材の先端部には、ハンマー当接部が設けられており、前記鍵には、前記ハンマー当接部が挿入して該ハンマー当接部の上下面が摺動する保持孔部を有するハンマー連結部が設けられており、このハンマー連結部の前記保持孔部内における上下面のうち、少なくとも上面には、第１ガイド部が設けられており、前記ハンマー当接部の上下面のうち、少なくとも上面には、前記第１ガイド部を前記鍵の前後方向に沿って相対的に移動可能にガイドする第２ガイド部が設けられていることを特徴とする鍵盤装置。
【請求項２】
前記第１ガイド部は、前記保持孔部内における上下面のうち、少なくとも上面に設けられたガイド突起部であり、前記第２ガイド部は、前記ハンマー当接部の上下面のうち、少なくとも上面に設けられて、前記保持孔部内の前記ガイド突起部が前記鍵の前後方向に移動可能に挿入するガイド溝部であることを特徴とする請求項１に記載の鍵盤装置。
【請求項３】
前記ハンマー当接部は、前記ハンマー部材の先端に設けられたハンマーヘッド部と、このハンマーヘッド部に取り付けられた滑り性を有するハンマーキャップとを備え、このハンマーキャップに前記第２ガイド部が設けられていることを特徴とする請求項１または２に記載の鍵盤装置。
【請求項４】
前記ハンマー当接部の上下面のうち、前記ハンマー当接部の上面に設けられた前記ガイド溝部は、前記鍵の前後方向に位置する両端部が閉塞部によって塞がれて潤滑剤溜りを形成していることを特徴とする請求項２または３に記載の鍵盤装置。
【請求項５】
前記保持孔部の前記第１ガイド部と前記ハンマー当接部の前記第２ガイド部とが互いにガイドし合うガイド面には、押鍵時に鍵荷重を急激に変化させるクリック部が設けられていることを特徴とする請求項１〜４のいずれかに記載の鍵盤装置。
【発明の詳細な説明】
【技術分野】
【０００１】
この発明は、電子ピアノなどの電子鍵盤楽器に用いられる鍵盤装置に関する。
【背景技術】
【０００２】
例えば、電子ピアノなどの電子鍵盤楽器においては、アコ―スティックピアノの鍵タッチ感に近似した鍵タッチ感を得るために、鍵の下側に錘を有するハンマー部材を上下方向に回動可能に設け、鍵の押鍵操作に伴ってハンマー部材がその錘の重量に抗して回動することにより、鍵に所定のアクション荷重を付与するように構成したものがある。
【０００３】
このような電子鍵盤楽器では、鍵に所定のアクション荷重を付与するハンマー部材のハンマー当接部が鍵の下面に当接し、この状態で押鍵操作時にハンマー部材のハンマー当接部が鍵の下面に沿って移動する構成であると、押鍵操作時にハンマー部材が横振れを起こしやすいという問題がある。
【０００４】
このような問題を回避するために、従来の電子鍵盤楽器においては、特許文献１に記載されているように、ハンマー部材が押鍵操作時に横振れを起こさないように、鍵の下面に当接するハンマー部材のハンマー当接部に凹溝を設け、鍵の下面にハンマー当接部の凹溝内を相対的に移動するガイド突起部を設け、押鍵操作時におけるハンマー部材の横振れを防ぐように構成している。
【特許文献１】特開２００２−６８３２号
【発明の開示】
【発明が解決しようとする課題】
【０００５】
しかしながら、このような従来の電子鍵盤楽器では、ハンマー当接部の凹溝内を鍵２のガイド突起部が相対的に移動する構成であるから、押鍵操作時におけるハンマー部材の横振れを防ぐことができても、ハンマー部材が上下方向に回動するときに、ハンマー当接部が鍵の下面から離れることがあり、このためハンマー部材によるアクション荷重を正確に鍵に伝えることができないという問題がある。
【０００６】
すなわち、押鍵操作時にハンマー当接部が鍵の下面から離れると、この離れたハンマー当接部が再び鍵の下面に当接するため、不自然な鍵タッチ感が生じる。特に、鍵が押鍵された後に鍵が初期位置に復帰する際に、鍵がハンマー部材よりも速く復帰することがあり、このときにハンマー当接部が鍵の下面から一旦離れた後、再び鍵の下面に当接する。このため、１つの鍵を連続して押鍵する連弾操作の場合に、著しく不自然な鍵タッチ感が生じ、演奏性が悪いという問題がある。
【０００７】
この発明が解決しようとする課題は、押鍵時にハンマー部材の横振れを防ぐと共に鍵に対するハンマー部材の上下方向への離れを防ぎ、演奏性を高めることができる鍵盤装置を提供することである。
【課題を解決するための手段】
【０００８】
この発明は、上記課題を解決するために、次のような構成要素を備えている。
請求項１に記載の発明は、鍵盤シャーシと、この鍵盤シャーシ上に上下方向に回動可能に設けられた鍵と、この鍵の下側に対応して設けられ、前記鍵の押鍵動作に伴って回動変位して該鍵にアクション荷重を付与するハンマー部材とを備えた鍵盤装置において、
前記ハンマー部材の先端部には、ハンマー当接部が設けられており、前記鍵には、前記ハンマー当接部が挿入して該ハンマー当接部の上下面が摺動する保持孔部を有するハンマー連結部が設けられており、このハンマー連結部の前記保持孔部内における上下面のうち、少なくとも上面には、第１ガイド部が設けられており、前記ハンマー当接部の上下面のうち、少なくとも上面には、前記第１ガイド部を前記鍵の前後方向に沿って相対的に移動可能にガイドする第２ガイド部が設けられていることを特徴とする鍵盤装置である。
【０００９】
請求項２に記載の発明は、前記第１ガイド部が、前記保持孔部内における上下面のうち、少なくとも上面に設けられたガイド突起部であり、前記第２ガイド部は、前記ハンマー当接部の上下面のうち、少なくとも上面に設けられて、前記保持孔部内の前記ガイド突起部が前記鍵の前後方向に移動可能に挿入するガイド溝部であることを特徴とする請求項１に記載の鍵盤装置である。
【００１０】
請求項３に記載の発明は、前記ハンマー当接部が、前記ハンマー部材の先端に設けられたハンマーヘッド部と、このハンマーヘッド部に取り付けられた滑り性を有するハンマーキャップとを備え、このハンマーキャップに前記第２ガイド部が設けられていることを特徴とする請求項１または２に記載の鍵盤装置である。
【００１１】
請求項４に記載の発明は、前記ハンマー当接部の上下面のうち、前記ハンマー当接部の上面に設けられた前記ガイド溝部は、前記鍵の前後方向に位置する両端部が閉塞部によって塞がれて潤滑剤溜りを形成していることを特徴とする請求項２または３に記載の鍵盤装置である。
【００１２】
請求項５に記載の発明は、前記保持孔部の前記第１ガイド部と前記ハンマー当接部の前記第２ガイド部とが互いにガイドし合うガイド面に、押鍵時に鍵荷重を急激に変化させるクリック部が設けられていることを特徴とする請求項１〜４のいずれかに記載の鍵盤装置である。
【発明の効果】
【００１３】
この発明によれば、押鍵操作に伴ってハンマー部材が上下方向に回動するときに、ハンマー部材のハンマー当接部が鍵のハンマー連結部の保持孔部に挿入し、且つそのハンマー当接部の上下面が保持孔部内で摺動するので、押鍵時に鍵に対するハンマー部材の上下方向への離れを防ぐことができ、また保持孔部の上下面のうち、少なくとも上面に設けられた第１ガイド部をハンマー当接部の第２ガイド部が鍵の前後方向に沿って相対的にガイドするので、ハンマー部材の横振れをも防ぐことができる。これにより、押鍵操作に応じたハンマー部材によるアクション荷重を鍵に正確に伝えることができ、このため演奏時に不自然な鍵タッチ感が生じることがなく、演奏性を高めることができる。
【発明を実施するための最良の形態】
【００１４】
（実施形態１）
以下、図１〜図５を参照して、この発明を適用した電子鍵盤楽器の実施形態１について説明する。
この電子鍵盤楽器は、図１および図２に示すように、合成樹脂製の鍵盤シャーシ１と、この鍵盤シャーシ１上に上下方向に回動可能に設けられた合成樹脂製の複数の鍵２（白鍵と黒鍵、ただしこの実施形態１では白鍵について説明する。）と、この複数の鍵２にそれぞれアクション荷重を付与する複数のハンマー部材３と、各鍵２の押鍵操作に応じてそれぞれ電気信号を出力するスイッチ部４とを備えている。
【００１５】
鍵盤シャーシ１は、楽器本体の本体ケースであり、この鍵盤シャーシ１の前端部（図１では右端部）には、図１および図２に示すように、鍵２の前端部に対応する前側搭載部５が底部から上方に突出して設けられている。この前側搭載部５上には、鍵２の前端部内に挿入して鍵２の横振れを防ぐための鍵ガイド部６が上方に突出して設けられている。また、この鍵盤シャーシ１の中間部には、中間搭載部７が前側搭載部５よりも少し低く設けられている。この中間搭載部７上には、後述するハンマー支持部１４が設けられており、このハンマー支持部１４には、ハンマー部材３を上下方向に回動可能に支持するための支持軸１５が設けられている。
【００１６】
また、この中間搭載部７における後部側には、前側立上り部８が底部から前側搭載部５よりも少し高く設けられており、この鍵盤シャーシ１の後端部には、後側立上り部９が底部から前側搭載部５よりも高く設けられている。この鍵盤シャーシ１の前側立上り部８と後側立上り部９との上部間には、図１および図２に示すように、後側搭載部１０が段差をもって設けられている。この後側搭載部１０の前側上部には、スイッチ基板１１が取り付けられており、このスイッチ基板１１上には後述するスイッチ部４が設けられている。
【００１７】
さらに、この後側搭載部１０の後側上部（図１では左側上部）上には、鍵支持部１２が上方に突出して設けられており、この鍵支持部１２には、鍵２の後端部を回動可能に支持するための鍵支持軸１３が設けられている。さらに、この後側搭載部１０の後方に位置する鍵盤シャーシ１の後端部（図１では左端下部）には、図１および図２に示すように、その底部から鍵２の後端部を覆うカバーケース１６が設けられており、このカバーケース１６内には、スピーカ１７が設けられている。
【００１８】
鍵２は、図１および図２に示すように、その後端部（図１では左端部）の両側面に鍵取付孔部１８が設けられ、この鍵取付孔部１８が鍵盤シャーシ１の後側搭載部１０上に設けられた鍵支持部１２の鍵支持軸１３に回動可能に取り付けられ、これにより鍵支持軸１３を中心に上下方向に回動するように構成されている。この場合、鍵２は、図１および図２に示すように、細長いほぼ角筒形状をなし、その内部が中空で下側に開放された断面矩形状に形成され、その内部における前部側（図１では右端部側）に鍵ガイド部６が下側から挿入し、この鍵ガイド部６によって横振れしないように構成されている。
【００１９】
また、この鍵２の中間部には、スイッチ押圧部１９が鍵盤シャーシ１上に設けられたスイッチ基板１１のスイッチ部４に対応して設けられている。このスイッチ押圧部１９の前部側には、ハンマー部材３の先端部（図１では右端部）に設けられた後述するハンマー当接部２７を保持するハンマー連結部２０が鍵盤シャーシ１の中間搭載部７の上面に向けて延出されて設けられている。
【００２０】
この場合、スイッチ部４は、図１および図２に示すように、スイッチ基板１１の上面に配置されたゴムシートを備えている。このゴムシートには、ドーム状の膨出部が各鍵２のスイッチ押圧部１９にそれぞれ対応して形成されている。この膨出部内には、高さの異なる一対の可動接点が設けられており、これに対応するスイッチ基板１１上には、一対の固定接点が一対の可動接点にそれぞれ接離可能に離間対向して設けられている。これにより、スイッチ部４は、図２に示すように、押鍵操作時に鍵２のスイッチ押圧部１９によって膨出部が押圧されたときに、膨出部が弾性変形して一対の可動接点が一対の固定接点に時間差をもって順に接触することにより、鍵タッチの強さに応じたスイッチ信号を出力するように構成されている。
【００２１】
一方、ハンマー部材３は、図１および図２に示すように、金属製のハンマー本体２１と合成樹脂製のハンマーホルダ２２とを有し、このハンマーホルダ２２がハンマー本体２１のほぼ前側部（図１では右側部）のホルダ取付部２３に取り付けられ、この状態でハンマーホルダ２２が、鍵盤シャーシ１の前側立上り部８に設けられた開口部８ａを通して、鍵盤シャーシ１の中間搭載部７上に設けられたハンマー支持部１４の支持軸１５に上下方向に回動自在に保持されるように構成されている。
【００２２】
これにより、ハンマー部材３は、ハンマー本体２１の後端部（図１では左端部）に設けられた錘部２４の重量によって、ハンマー本体２１が図１において反時計回りに付勢されて、ハンマー本体２１の後端部が鍵盤シャーシ１の後端底部に設けられたフェルトなどの下限ストッパ２５に当接することにより、ハンマー本体２１が下限位置に規制されるように構成されている。また、このハンマー部材３は、ハンマー本体２１が錘部２４の重量に抗して時計回りに回動したときに、図２に示すように、ハンマー本体２１の後端部が鍵盤シャーシ１の後側搭載部１０における後端下面に配置されたフェルトなどの上限ストッパ２６に当接することにより、ハンマー本体２１が上限位置に規制されるように構成されている。
【００２３】
この場合、ホルダ取付部２３は、図１に示すように、その下部側に開放されたほぼコ字形状に形成されている。ハンマーホルダ２２は、図１および図２に示すように、鍵盤シャーシ１の中間搭載部７の上面に設けられたハンマー支持部１４の支持軸１５に上下方向に回動可能に保持される軸受部２７と、この軸受部２７をハンマー本体２１のホルダ取付部２３に装着する装着部２８とを備えている。軸受部２７は、図１および図２に示すように、全体がほぼ逆Ｃ字形状に形成され、その中心部にハンマー支持部１４の支持軸１５が回動可能に挿入するように構成されている。装着部２８は、全体がほぼコ字形状に形成され、その内部に軸受部２７が一体に設けられた構成になっている。
【００２４】
また、このハンマー部材３は、図１および図２に示すように、ハンマー本体２１の前端部（図１では右端部）が鍵盤シャーシ１の前側立上り部８に設けられた開口部８ａを通して中間搭載部７の上方に突出し、この突出した先端部にハンマー当接部３０が設けられ、このハンマー当接部３０が鍵２のハンマー連結部２０に設けられた保持孔部３１内に摺動可能に挿入されて保持され、これによりハンマー本体２１が鍵２の押鍵動作に連動してハンマー支持部１４の支持軸１５を中心に上下方向に回動するように構成されている。
【００２５】
すなわち、ハンマー当接部３０は、図３および図４に示すように、ハンマー部材３の先端（図１では右端部）に設けられたハンマーヘッド部３２と、このハンマーヘッド部３２に装着されたハンマーキャップ３３とを備えている。このハンマーキャップ３３は、滑り性を有すると共に弾性をも有する合成樹脂からなり、図４に示すように、上面３３ａが上方に向けて凸となる円弧状に形成され、下面３３ｂが前上がり（図４では右上がり）に傾斜した傾斜面に形成され、その上下面３３ａ、３３ｂがハンマー連結部２０の保持孔部３１内の上下面に線接触した状態で、保持孔部３１内に鍵２の前後方向に摺動可能に挿入されるように構成されている。
【００２６】
一方、ハンマー連結部２０は、図１および図２に示すように、鍵２における前端部とスイッチ押圧部１９との間に位置した状態で、鍵２の下方向に垂下され、その下部に保持孔部３１が設けられている。この保持孔部３１は、図１〜図３に示すように、前後方向（図１では左右方向）に開放された角筒形状に形成され、その内部にハンマー部材３のハンマー当接部３０が挿入するように構成されている。
【００２７】
この場合、保持孔部３１内における上下面には、図３に示すように、それぞれガイド突起部３４、３５が、互いに対向した状態で鍵２の前後方向（図１では左右方向に）に沿って細長く設けられている。また、ハンマー部材３のハンマー当接部３０における上下面、つまりハンマー当接部３０のハンマーキャップ３３の上下面３３ａ、３３ｂには、図３〜図５に示すように、保持孔部３１内の各ガイド突起部３４、３５をそれぞれ鍵２の前後方向に沿って相対的に移動可能にガイドするガイド溝部３６、３７が設けられている。
【００２８】
すなわち、ハンマーキャップ３３の上面３３ａには、図３〜図５に示すように、保持孔部３１内の上面に設けられた上側のガイド突起部３４が移動可能に挿入した状態で、その上側のガイド突起部３４を鍵２の前後方向に相対的にガイドするガイド溝部３６が、上方に向けて凸となる円弧状に湾曲して形成されている。また、ハンマーキャップ３３の下面３３ｂには、図３〜図５に示すように、保持孔部３１内の下面に設けられたガイド突起部３５が移動可能に挿入した状態で、その下側のガイド突起部３５を鍵２の前後方向に相対的にガイドするガイド溝部３７が、前上がり（図４では右上がり）に傾斜して形成されている。
【００２９】
次に、このような電子鍵盤楽器の作用について説明する。
通常は、図１に示すように、ハンマー部材３がハンマー本体２１の錘部２４の重量によってハンマー支持部１４の支持軸１５を中心に図１において反時計回りに付勢され、これによりハンマー本体２１の後端部が下限ストッパ２５に当接してハンマー部材３が下限位置に規制されている。このときには、ハンマー本体２１のハンマー当接部２７が鍵２のハンマー連結部２０における保持孔部３１内に鍵２の前後方向に沿って移動可能に挿入されて保持された状態で、ハンマー当接部２７が上限に位置することにより、このハンマー当接部２７によって鍵２が押し上げられて上限位置に規制されている。
【００３０】
この状態で、ハンマー本体２１の錘部２４の重量に抗して鍵２を押鍵すると、その鍵２が鍵盤シャーシ１の後端部の鍵支持軸１３を中心に図１において時計回りに回動する。このときには、鍵２が鍵ガイド部６によってガイドされるので、鍵２が横振れすることなく回動して、鍵２のハンマー連結部２０が下方に移動する。これにより、ハンマー連結部２０の保持孔部３１内に挿入されたハンマー本体２１のハンマー当接部３０が押し下げられると共に、ハンマー当接部３０のハンマーキャップ３３の上下面３３ａ、３３ｂが保持孔部３１内の上下面に沿って鍵２の前後方向に摺動する。
【００３１】
このときには、ハンマーキャップ３３の上下面３３ａ、３３ｂに設けられたガイド溝部３６、３７が、保持孔部３１内の上下面に設けられた各ガイド突起部３４、３５を相対的にガイドしながら鍵２の前後方向に移動する。これに伴って、ハンマー部材３のハンマー本体２１が、ハンマーホルダ２２の軸受部２７に挿入されたハンマー支持部１４の支持軸１５を中心に、図１において時計回りに回動する。
【００３２】
このように、鍵２が押されてハンマー部材３がその錘２４の重量に抗して回動し始めると、鍵荷重が急激に重くなり、鍵２がある程度押し下げられると、鍵荷重がほぼ一定になり、更に鍵２が押し下げられると、鍵２のスイッチ押圧部１９がスイッチ部４を押圧するので、鍵荷重が更に少し重くなり、鍵２が最も押し下げられると、ハンマー部材３が上限ストッパ２６に当接するので、再び鍵荷重が急激に重くなる。これにより、鍵２にハンマー部材３の錘部２４の重量に応じたアクション荷重が付与されるので、アコースティックピアノの鍵タッチ感に近似した鍵タッチ感が得られる。
【００３３】
この後、鍵２から指を離して鍵２が初期位置に戻る離鍵時には、ハンマー本体２１の錘部２４の重量によってハンマー部材３が図２において反時計回りに回動する。このときには、ハンマー本体２１のハンマー当接部３０が鍵２のハンマー連結部２０の保持孔部３１内に移動可能に挿入されて、ハンマー当接部３０のハンマーキャップ３３の上下面３３ａ、３３ｂがハンマー連結部２０の保持孔部３１内の上下面に接触しているので、ハンマー本体２１のハンマー当接部３０が鍵２から上下方向に離れることがない。このため、鍵２はハンマー本体２１の回動に伴って反時計回りに回動して、図１に示す初期位置に戻る。
【００３４】
このように、この電子鍵盤楽器によれば、ハンマー部材３の先端部にハンマー当接部３０が設けられ、鍵２にハンマー当接部３０が挿入して該ハンマー当接部３０の上下面が摺動する保持孔部３１を有するハンマー連結部２０が設けられ、このハンマー連結部２０の保持孔部３１内の上下面にガイド突起部３４、３５が設けられ、ハンマー当接部３０の上下面にガイド突起部３４、３５を鍵２の前後方向に相対的に移動可能にガイドするガイド溝部３６、３７が設けられているので、押鍵時にハンマー部材３の横振れおよび鍵２に対するハンマー部材３の上下方向への離れを防ぐことができる。
【００３５】
すなわち、押鍵操作に伴ってハンマー部材３が上下方向に回動するときに、ハンマー部材３のハンマー当接部３０が鍵２のハンマー連結部２０の保持孔部３１内に挿入し、且つその上下面３３ａ、３３ｂが保持孔部３１内の上下面に接触して摺動するので、押鍵操作時に鍵２に対するハンマー当接部３０の上下方向への離れを確実に防ぐことができる。また、保持孔部３１内の上下面に設けられたガイド突起部３４、３５が、ハンマー当接部３０のガイド溝部３６、３７内に移動可能に挿入して鍵２の前後方向に相対的にガイドするので、ハンマー部材３の横振れをも防ぐことができる。これにより、押鍵操作に応じたハンマー部材３によるアクション荷重を鍵２に正確に伝えることができ、演奏時に不自然な鍵タッチ感が生じることがない。このため、１つの鍵２を連続して押鍵する連弾操作が良好にでき、これにより演奏性を高めることができる。
【００３６】
この場合、ハンマー当接部３０は、ハンマー部材３の先端に設けられたハンマーヘッド部３２と、このハンマーヘッド部３２に装着された滑り性を有するハンマーキャップ３３とを備え、このハンマーキャップ３３の上下面３３ａ、３３ｂにそれぞれガイド溝部３６、３７が設けられているので、ハンマーキャップ３３の上下面３３ａ、３３ｂをハンマー連結部２０の保持孔部３１内の上下面に接触させて滑らかに摺動させることができると共に、ハンマーキャップ３３の上下面３３ａ、３３ｂにそれぞれ設けられたガイド溝部３６、３７内で、保持孔部３１内の上下面に設けられたガイド突起部３４、３５を滑らかに移動させることができ、これにより異音の発生を防ぎ、ハンマー当接部３０を保持孔部３１内で円滑に且つ良好に移動させることができる。
【００３７】
また、ハンマー当接部３０のハンマーキャップ３３は、弾性を有する合成樹脂からなり、その上下面３３ａ、３３ｂがハンマー連結部２０の保持孔部３１内の上下面に接触して摺動するので、押鍵操作時にハンマー連結部２０が押し下げられて保持孔部３１によってハンマーキャップ３３が押し下げられるときに、ハンマーキャップ３３が保持孔部３１内でガタツクことがなく、弾力をもって良好に鍵２およびハンマー部材３を上下方向に回動させることができると共に、離鍵時にハンマー部材３がその錘２４の重量によって回動して初期位置に戻るときにも、ハンマーキャップ３３が保持孔部３１内でガタツクことがなく、弾力をもって良好に鍵２およびハンマー部材３を上下方向に回動させることができる。
【００３８】
（実施形態２）
次に、図６〜図９を参照して、この発明を適用した電子鍵盤楽器の実施形態２について説明する。なお、図１〜図５に示された実施形態１と同一部分には同一符号を付して説明する。
この電子鍵盤楽器は、ハンマー部材のハンマー当接部３０に潤滑剤溜り４０を設けた構成であり、これ以外は実施形態１とほぼ同じ構成になっている。
【００３９】
すなわち、このハンマー当接部３０は、実施形態１と同様、ハンマー部材３の先端（図６では右端部）に設けられたハンマーヘッド部３２と、このハンマーヘッド部３２に装着されたハンマーキャップ３３とを備えている。このハンマーキャップ３３は、滑り性および弾性を有する合成樹脂からなり、図８に示すように、上面３３ａが上方に向けて凸となる円弧状に形成され、下面３３ｂが前上がり（図８では右上がり）に傾斜した傾斜面に形成され、その上下面３３ａ、３３ｂがハンマー連結部２０の保持孔部３１内の上下面に線接触した状態で、保持孔部３１内に鍵２の前後方向に摺動可能に挿入されるように構成されている。
【００４０】
また、ハンマー連結部２０の保持孔部３１は、図６および図７に示すように、前後方向（図６では左右方向）に開放された角筒形状に形成され、その内部にハンマー部材３のハンマー当接部３０が挿入するように構成されている。この保持孔部３１内における上下面には、図７に示すように、それぞれガイド突起部４２、４３が鍵２の前後方向（図６では左右方向に）に沿って設けられている。このガイド突起部４２、４３のうち、上側のガイド突起部４２は、図６に示すように、保持孔部３１内の上面における後端部（図６では左端部）からその上面のほぼ中間部に亘って設けられ、これにより前後方向の長さが、実施形態１の半分程度の長さに短く形成されている。
【００４１】
一方、ハンマー部材３のハンマー当接部３０における上下面、つまりハンマー当接部３０のハンマーキャップ３３の上下面３３ａ、３３ｂには、図７〜図９に示すように、保持孔部３１内のガイド突起部４２、４３が移動可能に挿入した状態で、そのガイド突起部４２、４３をそれぞれ鍵２の前後方向に相対的にガイドするガイド溝部４４、４５が設けられている。このガイド溝部４４、４５のうち、ハンマーキャップ３３の上面３３ａに設けられた上側のガイド溝部４４は、図８および図９に示すように、上方に向けて凸となる円弧状に湾曲して形成されており、この上側のガイド溝部４４の前後方向における両端部は、閉塞部４４ａによって塞がれている。
【００４２】
これにより、上側のガイド溝部４４は、グリスなどの潤滑剤を溜める潤滑剤溜り４０を形成し、この潤滑剤溜り４０内に保持孔部３１内の上面に設けられた上側のガイド突起部４２が移動可能に挿入した状態で、その上側のガイド突起部４２を鍵２の前後方向に相対的にガイドするように構成されている。また、ハンマーキャップ３３の下面３３ｂに設けられた下側のガイド溝部４５は、実施形態１と同様、前上がり（図４では右上がり）に傾斜して形成され、保持孔部３１内の下面に設けられた下側のガイド突起部４３が移動可能に挿入した状態で、その下側のガイド突起部４３を鍵２の前後方向に相対的にガイドするように構成されている。
【００４３】
このような電子鍵盤楽器によれば、実施形態１と同様の作用効果があるほか、ハンマー当接部３０の上下面３３ａ、３３ｂのうち、ハンマー当接部３０の上面３３ａに設けられた上側のガイド溝部４４が、その前後方向における両端部を閉塞部４４ａで塞ぐことにより、潤滑剤溜り４０に形成されているので、この潤滑剤溜り４０にグリスなどの潤滑剤を溜めることができ、これによりグリスなどの潤滑剤が減少するのを防ぐことができると共に、上側のガイド溝部４４と上側のガイド突起部４２との相互接触による摩擦抵抗を安定させることができ、これにより上側のガイド溝部４４内に沿って上側のガイド突起部４２を長期間に渡って円滑に摺動させることができる。
【００４４】
（実施形態３）
次に、図１０〜図１５を参照して、この発明を適用した電子鍵盤楽器の実施形態３について説明する。この場合にも、図１〜図５に示された実施形態１と同一部分に同一符号を付して説明する。
この電子鍵盤楽器は、鍵２の保持孔部３１内に設けられた上側のガイド突起部３４とハンマー部材３のハンマー当接部３０の上面３３aに設けられた上側のガイド溝部３６とが互いにガイドし合うガイド面に、押鍵時に鍵荷重を急激に変化させるためのクリック部５０を設けた構成であり、これ以外は実施形態１とほぼ同じ構成になっている。
【００４５】
すなわち、このクリック部５０は、図１０〜図１４に示すように、ハンマー当接部３０の上面３３aに設けられた上側のガイド溝部３６の内面に対向して設けられた弾性変形可能な一対の突起部５１と、保持孔部３１内の上面に設けられた上側のガイド突起部５２とを備え、押鍵時にガイド溝部３６内の一対の突起部５１が上側のガイド突起部５２を弾力的に挟み付けるときに鍵荷重を急激に重くし、一対の突起部５１が上側のガイド突起部５２を乗り越えたときに鍵荷重を急激に軽くすることにより、鍵荷重を急激に変化させて鍵２にクリック感を付与するように構成されている。
【００４６】
この場合、ハンマー当接部３０の上側のガイド溝部３６は、図１０〜図１２に示すように、実施形態１よりも深く形成されており、一対の突起部５１は、図１２および図１３に示すように、ガイド溝部３６の内面における後部（図１２では左側）に位置する箇所に設けられている。この一対の突起部５１は、図１３（ａ）および図１３（ｂ）に示すように、鍵２の前方向に位置する前側部分の曲率半径が、鍵２の後方向に位置する後側部分の曲率半径よりも小さく形成されている。これにより、一対の突起部５１は、押鍵時における鍵荷重の変化を大きくし、離鍵時における鍵荷重の変化を小さくして、離鍵時に不要なクリック感が生じるのを軽減するように構成されている。
【００４７】
また、ハンマー連結部２０の保持孔部３１内における上側のガイド突起部５２は、その突出長さが実施形態１よりも長く形成され、且つその前後方向の幅が短く形成されている。これにより、上側のガイド突起部５２は、鍵２が押鍵されてスイッチ押圧部１９がスイッチ基板１１のスイッチ部４を押圧して弾性変形させたときに、一対の突起部５１に挟まれた後に、一対の突起部５１を乗り越えて離脱するように構成されている。
【００４８】
このような電子鍵盤楽器では、図１５に示すように、鍵２が押鍵されてハンマー連結部２０の保持孔部３１がハンマー部材３のハンマー当接部３０を押し下げ、ハンマー部材３が錘２４の重量に抗してハンマー支持部１４の支持軸１５を中心に回動すると、図１５のａ線で示すように、鍵荷重が急激に重くなった後、鍵荷重がほぼ一定になり、この状態で鍵２のスイッチ押圧部１９がスイッチ基板１１のスイッチ部４を押圧して弾性変形させると、図１５のｂ線で示すように、更に鍵荷重が少し重くなる。
【００４９】
そして、ハンマー連結部２０の保持孔部３１がハンマー部材３のハンマー当接部３０を押し下げながら、ハンマー当接部３０が保持孔部３１内を摺動して、ハンマー当接部３０の上側のガイド溝部３６内に設けられた一対の突起部５１が保持孔部３１の上側のガイド突起部５２を挟み付けると、図１５のｃ線で示すように、鍵荷重が急激に重くなり、ガイド溝部３６の一対の突起部５１がガイド突起部５２を乗り越えると、図１５のｄ線で示すように、鍵荷重が急激に軽くなり、これにより押鍵時に鍵荷重が急激に抜ける感じの鍵タッチが得られる。この後は、ハンマー部材３の後端部が上限ストッパ２６に当接するので、図１５のｅ線で示すように、再び鍵荷重が急激に重くなる。
【００５０】
このように、この電子鍵盤楽器によれば、実施形態１と同様の作用効果があるほか、保持孔部３１内の上側のガイド突起部５２とハンマー当接部３０の上側のガイド溝部３６とが互いにガイドし合うガイド面に、弾性変形可能な一対の突起部５１がガイド突起部５２を挟んで乗り越えることにより押鍵時に鍵荷重を急激に変化させるクリック部５０を設けたので、このクリック部５０によって押鍵時に鍵荷重が急激に抜ける感じの鍵タッチを得ることができる。
【００５１】
すなわち、押鍵時にクリック部５０の一対の突起部５１がガイド突起部５２を挟み付けるときに鍵荷重を急激に重くし、一対の突起部５１がガイド突起部５２を乗り越えたときに鍵荷重を急激に軽くすることにより、押鍵時に鍵荷重が急激に抜ける感じの鍵タッチを得ることができる。この場合、一対の突起部５１は、図１３（ａ）および図１３（ｂ）に示すように、前側部分の曲率半径が、後側部分の曲率半径よりも小さく形成されているので、押鍵時における鍵荷重の変化を大きくすることができ、また離鍵時における鍵荷重の変化を小さくして離鍵時に不要なクリック感が生じるのを軽減することができる。これにより、より一層、アコ―スティックピアノに近似した鍵タッチを得ることができる。
【００５２】
なお、上記実施形態３では、ハンマー当接部３０における上側のガイド溝部３６の内面にクリック部５０の一対の突起部５１を設け、保持孔部３１内の上面にクリック部５０のガイド突起部５２を設けた場合について述べたが、これに限らず、例えば保持孔部３１内のガイド突起部５２に弾性変形可能な一対の突起部５１を設け、ハンマー当接部３０のガイド溝部３６の内面に一対の突起部５１が係脱可能に乗り越える凹部または凸部を設けた構成でも良い。このような構成でも、実施形態３とほぼ同様の作用効果がある。
【００５３】
また、上記実施形態１〜３では、ハンマー当接部３０の上下面３３ａ、３３ｂにそれぞれガイド溝部３６、３７：４４、４５を設け、ハンマー連結部２０の保持孔部３１内の上下面にそれぞれガイド突起部３４、３５：４２、４３：５２を設けた場合について述べたが、必ずしもハンマー当接部３０の下面３３ｂにガイド溝部３７：４５を設け、保持孔部３１内の下面にガイド突起部３５：４３を設ける必要はなく、少なくともハンマー当接部３０の上面３３ａのみにガイド溝部３６：４４を設け、保持孔部３１内の上面のみにガイド突起部３４：４２：５２を設けた構成でも良い。このような構成でも、実施形態１〜３とほぼ同様の作用効果がある。
【００５４】
さらに、上記実施形態１〜３では、ハンマー当接部３０の上下面３３ａ、３３ｂにそれぞれガイド溝部３６、３７：４４、４５を設け、ハンマー連結部２０の保持孔部３１内の上下面にそれぞれガイド突起部３４、３５：４２、４３：５２を設けた場合について述べたが、これに限らず、例えばハンマー当接部３０の上下面３３ａ、３３ｂにそれぞれガイド突起部３４、３５：４２、４３：５２を設け、ハンマー連結部２０の保持孔部３１内の上下面にそれぞれ５２ガイド溝部３６、３７：４４、４５を設けた構成でも良い。このような構成でも、実施形態１〜３とほぼ同様の作用効果がある。
【図面の簡単な説明】
【００５５】
【図１】この発明を適用した電子鍵盤楽器の実施形態１を示した断面図である。
【図２】図１の電子鍵盤楽器において鍵を押鍵した状態を示した断面図である。
【図３】図１のＡ−Ａ矢視における要部の拡大断面図である。
【図４】図１のハンマー当接部付近を一部破断して示した拡大図である。
【図５】図４のハンマー当接部の上面を示した拡大平面図である。
【図６】この発明を適用した電子鍵盤楽器の実施形態２を示した断面図である。
【図７】図６のＢ−Ｂ矢視における要部の拡大断面図である。
【図８】図６のハンマー当接部付近を一部破断して示した拡大図である。
【図９】図８のハンマー当接部の上面を示した拡大平面図である。
【図１０】この発明を適用した電子鍵盤楽器の実施形態３を示した断面図である。
【図１１】図１０のＣ−Ｃ矢視における要部の拡大断面図である。
【図１２】図１０のハンマー当接部付近を一部破断して示した拡大図である。
【図１３】図１２のハンマー当接部の上面を示し、（ａ）はその拡大平面図、（ｂ）はその一対の突起部を示した要部の拡大平面図である。
【図１４】図１１の状態で鍵が押鍵されてクリック部が鍵に負荷を付与した状態を示した要部の拡大断面図である。
【図１５】図１０の電子鍵盤楽器における鍵ストロークと鍵荷重との特性を示した図である。
【符号の説明】
【００５６】
１  鍵盤シャーシ
２  鍵
３  ハンマー部材
２０  ハンマー連結部
３０  ハンマー当接部
３１  保持孔部
３２  ハンマーヘッド部
３３  ハンマーキャップ
３３ａ  ハンマーキャップの上面
３３ｂ  ハンマーキャップの下面
３４、３５、４２、４３、５２  ガイド突起部
３６、３７、４４、４５  ガイド溝部
４０  潤滑剤溜り
４４ａ  閉塞部
５０  クリック部
５１  突起部
【図１】
2008158039.tif 000003
【図２】
2008158039.tif 000004
【図３】
2008158039.tif 000005
【図４】
2008158039.tif 000006
【図５】
2008158039.tif 000007
【図６】
2008158039.tif 000008
【図７】
2008158039.tif 000009
【図８】
2008158039.tif 000010
【図９】
2008158039.tif 000011
【図１０】
2008158039.tif 000012
【図１１】
2008158039.tif 000013
【図１２】
2008158039.tif 000014
【図１３】
2008158039.tif 000015
【図１４】
2008158039.tif 000016
【図１５】
2008158039.tif 000017